(57)【要約】【課題】様々な用途に使用が可能な取扱い性に優れた可搬型照明装置を提供する。【解決手段】可搬型照明装置１は、装置本体１０と、装置本体１０の正面に配置された太陽電池パネル１３と、太陽電池パネル１３で発電された電力を蓄電する蓄電池４０と、蓄電池４０から電力が供給されることで発光し、装置本体１０の背面から装置本体１０の外部に向けて光を照射する照明ユニット５０と、装置本体１０に回動自在に取付けられ、充電時において装置本体１０を支持するためのスタンドとなり、照明時において装置本体１０を吊り下げるためのアームとなる回動部材２０とを備える。【選択図】図１
2011198613.tif 000002
【特許請求の範囲】
【請求項１】
正面および背面を有する装置本体と、
前記装置本体の前記正面に配置された太陽電池パネルと、
前記装置本体に設けられ、前記太陽電池パネルで発電された電力を蓄電する蓄電池と、
前記装置本体に設けられ、前記蓄電池から電力が供給されることで発光し、前記装置本体の前記背面から前記装置本体の外部に向けて光を照射する照明ユニットと、
前記装置本体に回動自在に取付けられ、充電時において前記装置本体を支持するためのスタンドとなり、照明時において前記装置本体を吊り下げるためのアームとなる回動部材とを備えた、可搬型照明装置。
【請求項２】
前記回動部材が、前記装置本体の周囲を周回可能となるように前記装置本体に取付けられている、請求項１に記載の可搬型照明装置。
【請求項３】
前記回動部材が、前記装置本体の周囲を回動する周回軌道上の所定位置において、前記装置本体によって保持可能とされている、請求項２に記載の可搬型照明装置。
【請求項４】
前記回動部材は、当該回動部材の回動軸となるシャフト部と、前記シャフト部の延びる方向に沿って移動可能に前記シャフト部に取付けられ、前記シャフト部の回転に伴って回転するラッチ部と、前記ラッチ部を前記装置本体に向けて弾性付勢する弾性付勢部材とを含み、
前記装置本体には、前記シャフト部が挿通する挿通孔が設けられ、
前記ラッチ部の前記装置本体に対面する部分には、第１係合部が設けられ、
前記装置本体の前記ラッチ部に対面する部分には、前記第１係合部に係合可能な第２係合部が設けられ、
前記弾性付勢部材の弾性力に基づいて前記第１係合部が前記第２係合部に係合することで前記回動部材が前記装置本体によって保持された保持状態と、前記弾性付勢部材の弾性力に抗して前記第１係合部が前記第２係合部に非係合となることで前記回動部材が前記装置本体によって保持されない非保持状態とを採ることにより、前記回動部材が、前記装置本体の周囲を回動する周回軌道上の所定位置において、前記装置本体によって保持可能とされている、請求項３に記載の可搬型照明装置。
【請求項５】
前記第１係合部が、前記ラッチ部の前記装置本体に対面する部分の、前記シャフト部を中心とする第１仮想円の円周上の位置に、当該第１仮想円の周方向に沿って等間隔に複数設けられ、
前記第２係合部が、前記装置本体の前記ラッチ部に対面する部分の、前記挿通孔を中心とする、前記第１仮想円と同一直径の第２仮想円の円周上の位置に、当該第２仮想円の周方向に沿って等間隔に前記第１係合部と同数設けられ、
これにより、前記回動部材が、前記装置本体の周囲を回動する周回軌道上において、段階的に前記装置本体によって保持可能とされている、請求項４に記載の可搬型照明装置。
【請求項６】
前記弾性付勢部材が、前記シャフト部に外挿されたコイルバネにて構成され、
前記第１係合部および前記第２係合部の一方が、前記シャフト部の延びる方向に沿って突出した半球状の突起部にて構成され、
前記第１係合部および前記第２係合部の他方が、前記シャフト部の延びる方向に沿って窪む凹部または前記シャフト部が延びる方向に沿って貫通する孔部にて構成されている、請求項４または５に記載の可搬型照明装置。
【請求項７】
前記ラッチ部が、金属製の部材にて構成され、
前記装置本体の前記挿通孔および前記第２係合部が設けられた部分が、金属製の部材にて構成されている、請求項４から６のいずれかに記載の可搬型照明装置。
【請求項８】
前記装置本体は、箱状の形状を有し、
前記回動部材が、前記装置本体の相対する側面に取付けられることで前記装置本体の周囲を周回可能に回動する、請求項１から７のいずれかに記載の可搬型照明装置。
【請求項９】
充電状態にあるか否かを表示するための充電状態表示部が、前記装置本体の前記正面および前記背面を除く部分の外表面に設けられている、請求項１から８のいずれかに記載の可搬型照明装置。
【請求項１０】
前記蓄電池の残量の状態を表示するための残量表示部が、前記装置本体の前記正面および前記背面を除く部分の外表面に設けられている、請求項１から９のいずれかに記載の可搬型照明装置。
【請求項１１】
前記照明ユニットの出力を調節するためのボリューム摘みをさらに備えた、請求項１から１０のいずれかに記載の可搬型照明装置。
【請求項１２】
前記ボリューム摘みが設けられた部分の前記装置本体に、防水キャップが取付け可能とされている、請求項１１に記載の可搬型照明装置。
【請求項１３】
前記蓄電池に蓄電された電力を外部へ出力することを可能にする外部出力端子をさらに備えた、請求項１から１２のいずれかに記載の可搬型照明装置。
【請求項１４】
前記外部出力端子が設けられた部分の前記装置本体に、防水キャップが取付け可能とされている、請求項１３に記載の可搬型照明装置。
【請求項１５】
前記照明ユニットに含まれる光源が、ＬＥＤである、請求項１から１４のいずれかに記載の可搬型照明装置。
【請求項１６】
前記回動部材は、搬送時において手で持つための把手となる、請求項１から１５のいずれかに記載の可搬型照明装置。
【発明の詳細な説明】
【技術分野】
【０００１】
本発明は、持ち運びが可能に構成された可搬型照明装置に関し、より特定的には、太陽電池パネルを備えた可搬型照明装置に関する。
【背景技術】
【０００２】
従来、太陽電池パネルを具備した可搬型照明装置としては、たとえば実用新案登録第３１０３９９４号公報（特許文献１）に開示のものがある。当該特許文献１に開示の可搬型照明装置は、トランク状の装置本体の正面および背面に太陽電池パネルおよびＬＥＤ（Light-Emitting Diode）照明灯を配置するとともに、装置本体の内部に蓄電池を配置し、装置本体に手提げホルダーやショルダー等を付設して可搬型としたものである。この特許文献１に開示の可搬型照明装置においては、太陽光を太陽電池パネルで受光することで蓄電池に電力が蓄電され、この蓄電池に蓄電された電力がＬＥＤ照明灯に供給されることで当該ＬＥＤ照明灯が周囲を照らすように動作する。
【０００３】
しかしながら、上記特許文献１に開示の可搬型照明装置は、装置本体がトランク状で大型に構成されているため、基本的に床面に載置されて使用されることが予定されたものと考えられる。そのため、照明装置としての機能は、未だ不充分であり、高所から付近を十分に照らすことができるようには構成されていない。また、上記特許文献１には、ＬＥＤ照明灯を装置本体から取り外して使用する使用態様も開示されているが、その場合には装置本体とＬＥＤ照明灯とがコードにて接続されることになり、必ずしも取扱い性がよいものとは言えない。
【先行技術文献】
【特許文献】
【０００４】
【特許文献１】実用新案登録第３１０３９９４号公報
【発明の概要】
【発明が解決しようとする課題】
【０００５】
ところで、近年においては、太陽電池パネルの性能や蓄電池の性能の向上に伴い、装置本体をより小型かつ軽量に構成することが可能になってきている。しかしながら、可搬型照明装置としてその取扱い性に優れたものは未だ存在しておらず、そのため可搬型照明装置の利用はその用途が一部に限定されたものとなってしまっている。
【０００６】
したがって、本発明は、上述の問題点を解決すべくなされたものであり、様々な用途に使用が可能な取扱い性に優れた可搬型照明装置を提供することを目的とする。
【課題を解決するための手段】
【０００７】
本発明に基づく可搬型照明装置は、正面および背面を有する装置本体と、上記装置本体の上記正面に配置された太陽電池パネルと、上記装置本体に設けられ、上記太陽電池パネルで発電された電力を蓄電する蓄電池と、上記装置本体に設けられ、上記蓄電池から電力が供給されることで発光し、上記装置本体の上記背面から上記装置本体の外部に向けて光を照射する照明ユニットと、上記装置本体に回動自在に取付けられ、充電時において上記装置本体を支持するためのスタンドとなり、照明時において上記装置本体を吊り下げるためのアームとなる回動部材とを備えている。
【０００８】
上記本発明に基づく可搬型装置にあっては、上記回動部材が、上記装置本体の周囲を周回可能となるように上記装置本体に取付けられていることが好ましい。
【０００９】
上記本発明に基づく可搬型照明装置にあっては、上記回動部材が、上記装置本体の周囲を回動する周回軌道上の所定位置において、上記装置本体によって保持可能とされていることが好ましい。
【００１０】
当該構成を実現するためには、たとえば上記本発明に基づく可搬型照明装置を以下のように構成する。すなわち、上記回動部材に、当該回動部材の回動軸となるシャフト部と、上記シャフト部の延びる方向に沿って移動可能に上記シャフト部に取付けられ、上記シャフト部の回転に伴って回転するラッチ部と、上記ラッチ部を上記装置本体に向けて弾性付勢する弾性付勢部材とを設け、上記装置本体に上記シャフト部が挿通する挿通孔を設け、上記ラッチ部の上記装置本体に対面する部分に第１係合部を設け、上記装置本体の上記ラッチ部に対面する部分に上記第１係合部に係合可能な第２係合部を設ける。これにより、上記弾性付勢部材の弾性力に基づいて上記第１係合部が上記第２係合部に係合することで上記回動部材が上記装置本体によって保持された保持状態と、上記弾性付勢部材の弾性力に抗して上記第１係合部が上記第２係合部に非係合となることで上記回動部材が上記装置本体によって保持されない非保持状態とを採ることになり、上記構成の実現が可能になる。
【００１１】
また、上記本発明に基づく可搬型照明装置において、さらに、上記ラッチ部の上記装置本体に対面する部分の、上記シャフト部を中心とする第１仮想円の円周上の位置に、当該第１仮想円の周方向に沿って等間隔に上記第１係合部を複数設け、上記装置本体の上記ラッチ部に対面する部分の、上記挿通孔を中心とする、上記第１仮想円と同一直径の第２仮想円の円周上の位置に、当該第２仮想円の周方向に沿って等間隔に上記第１係合部と同数の上記第２係合部を設けることとすれば、上記装置本体の周囲を回動する周回軌道上において、上記回動部材を上記装置本体によって段階的に保持することも可能にできる。
【００１２】
上記本発明に基づく可搬型照明装置にあっては、上記弾性付勢部材が、上記シャフト部に外挿されたコイルバネにて構成されていることが好ましく、その場合に、上記第１係合部および上記第２係合部の一方が、上記シャフト部の延びる方向に沿って突出した半球状の突起部にて構成されるとともに、上記第１係合部および上記第２係合部の他方が、上記シャフト部の延びる方向に沿って窪む凹部または上記シャフト部が延びる方向に沿って貫通する孔部にて構成されていることが好ましい。
【００１３】
上記本発明に基づく可搬型照明装置にあっては、上記ラッチ部が、金属製の部材にて構成されるとともに、上記装置本体の上記挿通孔および上記第２係合部が設けられた部分が、金属製の部材にて構成されていることが好ましい。
【００１４】
上記本発明に基づく可搬型照明装置にあっては、上記装置本体が、箱状の形状を有していることが好ましく、その場合に、上記回動部材が、上記装置本体の相対する側面に取付けられることで上記装置本体の周囲を周回可能に回動することが好ましい。
【００１５】
上記本発明に基づく可搬型照明装置にあっては、充電状態にあるか否かを表示するための充電状態表示部が、上記装置本体の上記正面および上記背面を除く部分の外表面に設けられていることが好ましい。
【００１６】
上記本発明に基づく可搬型照明装置にあっては、上記蓄電池の残量の状態を表示するための残量表示部が、上記装置本体の上記正面および上記背面を除く部分の外表面に設けられていることが好ましい。
【００１７】
好ましくは、上記本発明に基づく可搬型照明装置は、上記照明ユニットの出力を調節するためのボリューム摘みをさらに備える。その場合には、上記ボリューム摘みが設けられた部分の上記装置本体に、防水キャップが取付け可能とされていることが好ましい。
【００１８】
好ましくは、上記本発明に基づく可搬型照明装置は、上記蓄電池に蓄電された電力を外部へ出力することを可能にする外部出力端子をさらに備える。その場合には、上記外部出力端子が設けられた部分の上記装置本体に、防水キャップが取付け可能とされていることが好ましい。
【００１９】
上記本発明に基づく可搬型照明装置にあっては、上記照明ユニットに含まれる光源が、ＬＥＤであることが好ましい。
【００２０】
上記本発明に基づく可搬型照明装置にあっては、上記回動部材が、搬送時において手で持つための把手となることが好ましい。
【発明の効果】
【００２１】
本発明によれば、様々な用途に使用が可能な取扱い性に優れた可搬型照明装置とすることができる。
【図面の簡単な説明】
【００２２】
【図１】本発明の実施の形態における可搬型照明装置の正面図である。
【図２】本発明の実施の形態における可搬型照明装置の背面図である。
【図３】本発明の実施の形態における可搬型照明装置の右側面図である。
【図４】本発明の実施の形態における可搬型照明装置の模式断面図である。
【図５】本発明の実施の形態における可搬型照明装置の照明ユニットの構成を示す正面図である。
【図６】本発明の実施の形態における可搬型照明装置の回動部材の装置本体への組付構造を示す模式分解図である。
【図７】（Ａ）は、図６に示す装置本体側取付具の左側面図であり、（Ｂ）は、図６に示す回動部材側取付具の右側面図である。
【図８】本発明の実施の形態における可搬型照明装置において、回動部材が装置本体に保持された状態を示す図である。
【図９】本発明の実施の形態における可搬型照明装置において、回動部材が装置本体に保持されていない状態を示す図である。
【図１０】本発明の実施の形態における可搬型照明装置のボリューム摘みが設けられた部分における防水構造を示す模式分解図である。
【図１１】本発明の実施の形態における可搬型照明装置のボリューム摘みが設けられた部分に防水キャップが取付けられた状態を示す図である。
【図１２】本発明の実施の形態における可搬型照明装置の外部出力端子が設けられた部分における防水構造を示す模式分解図である。
【図１３】本発明の実施の形態における可搬型照明装置の外部出力端子が設けられた部分に防水キャップが取付けられた状態を示す図である。
【図１４】本発明の実施の形態における可搬型照明装置の機能ブロックを示す図である。
【図１５】本発明の実施の形態における可搬型照明装置が回動部材の位置に応じてどのように動作するかを説明するための模式図である。
【図１６】本発明の実施の形態における可搬型照明装置の充電状態を示す図である。
【図１７】（Ａ）は、本発明の実施の形態における可搬型照明装置を天井に吊り下げて使用する場合の使用状態を示す図であり、（Ｂ）は、その場合の照明ユニットの動作状態を示す図である。
【図１８】（Ａ）は、本発明の実施の形態における可搬型照明装置を壁面に掛けて使用する場合の使用状態を示す図であり、（Ｂ）は、その場合の照明ユニットの動作状態を示す図である。
【図１９】（Ａ）は、本発明の実施の形態における可搬型照明装置を壁面に掛けて使用する場合の他の使用状態を示す図であり、（Ｂ）は、その場合の照明ユニットの動作状態を示す図である。
【図２０】（Ａ）は、本発明の実施の形態における可搬型照明装置を壁面に掛けて使用する場合のさらに他の使用状態を示す図であり、（Ｂ）は、その場合の照明ユニットの動作状態を示す図である。
【発明を実施するための形態】
【００２３】
以下、本発明の一実施の形態について、図を参照して詳細に説明する。なお、以下に示す実施の形態における可搬型照明装置は、昼間において太陽光を受光することで充電を行い、夜間において屋内または野外において照明装置として使用されることが企図されたものであり、各種レジャー用や被災時用として使用されるのみならず、建設現場や工事現場での使用、家庭での日常の使用等にまでその利用範囲が見込めるように構成されたものである。
【００２４】
図１は、本発明の実施の形態における可搬型照明装置の正面図であり、図２は、図１に示す可搬型照明装置の背面図である。また、図３は、図１に示す可搬型照明装置の右側面図であり、図４は、図１および図２に示すＩＶ−ＩＶ線に沿った可搬型照明装置の模式断面図である。また、図５は、図１に示す可搬型照明装置の照明ユニットの構成を示す正面図である。まず、これら図１ないし図５を参照して、本実施の形態における可搬型照明装置の構造について説明する。なお、図１、図２および図４においては、可搬型照明装置の装置本体に着脱自在に取付けられる防水キャップを取り外した状態を示している。
【００２５】
図１ないし図４に示すように、本発明の実施の形態における可搬型照明装置１は、直方体形状の箱状に形成された装置本体１０と、装置本体１０に回動自在に取付けられた回動部材２０とを備えている。装置本体１０は、持ち運びが容易となるように小型化および軽量化が十分に図られている。なお、装置本体１０としては、より小型かつ軽量であることが好ましいが、性能の観点や持ち運びの容易さの観点から、その外形は、おおよそ高さ２５ｃｍ〜３０ｃｍ程度、幅３５ｃｍ〜４０ｃｍ程度、奥行き５ｃｍ〜１０ｃｍ程度とされ、その重量は、おおよそ１．５ｋｇ〜３．０ｋｇ程度とされ、より好ましくは、１．５ｋｇ〜２．０ｋｇ程度とされる。
【００２６】
装置本体１０は、枠状に構成されることで装置本体１０の上面、下面、右側面および左側面を構成するフレーム１１と、当該フレーム１１に取付けられた平板状のシャーシ１２とを備えている。これらフレーム１１およびシャーシ１２は、耐候性および剛性に優れた比較的軽量の部材にて構成されることが好ましく、たとえばアルミニウム合金やステンレス合金等の金属製の部材や、ＡＢＳ（Acrylonitrile Butadiene Styrene）等の樹脂製の部材にて構成される。なお、フレーム１１とシャーシ１２の固定には、溶接やビス留め等が好適に利用される。
【００２７】
装置本体１０の前面には、太陽光を受光することで発電する太陽電池パネル１３が配置されている。より詳細には、太陽電池パネル１３は、フレーム１１に取付けられたシャーシ１２の前面を覆うように当該フレーム１１およびシャーシ１２に固定されており、装置本体１０の前面において露出している。なお、太陽電池パネル１３の露出面は、太陽電池セルの破損を防止する観点から、透光性の強化プラスチックや強化ガラス等によって覆われていることが好ましい。また、太陽電池パネル１３のフレーム１１およびシャーシ１２への固定には、貼着や接着、嵌め込み、ビス留め等が好適に利用される。
【００２８】
一方、装置本体１０の背面には、後述する照明ユニット５０から照射される光の放射強度を均一化するカバーレンズ１４が配置されている。より詳細には、カバーレンズ１４は、フレーム１１に取付けられたシャーシ１２の背面と距離をもって当該シャーシ１２の背面に対向配置されてフレーム１１に固定されており、装置本体１０の背面において露出している。なお、カバーレンズ１４としては、軽量化の観点から、透光性の樹脂材料を原料とした射出成形品が利用されることが好ましい。また、カバーレンズ１４のフレーム１１への固定には、接着や嵌め込み、ビス留め等が好適に利用される。
【００２９】
装置本体１０の内部の空間には、太陽電池パネル１３で発電された電力を蓄電する蓄電池４０と、蓄電池４０から電力が供給されることで発光する照明ユニット５０と、当該可搬型照明装置１の全体を制御する制御部３１（図１４参照）を含むコントロールユニット３０とが配置されている。
【００３０】
コントロールユニット３０は、装置本体１０の内部の空間のうちの上部に配置されており、フレーム１１に取付けられたシャーシ１２の背面側にたとえばビス留め等によって固定されている。コントロールユニット３０は、箱状のケースと、箱状のケースによって覆われた回路基板とを含んでおり、このうちの回路基板に上述した制御部３１や後述する各種回路３２，３３等が設けられている。
【００３１】
蓄電池４０は、装置本体１０の内部の空間のうちの下部に配置されており、フレーム１１の底部にたとえばビス留め等によって固定されている。蓄電池４０としては、たとえばリチウムイオン電池やニッケル水素電池、ニッケルカドミウム電池、鉛電池等が利用可能である。
【００３２】
照明ユニット５０は、装置本体１０の内部の空間のうちの略中央部に配置されており、フレーム１１に取付けられたシャーシ１２の背面側にたとえばビス留め等によって固定されている。図５に示すように、照明ユニット５０は、平板状の支持板５１と、当該支持板５１に取付けられた複数の回路基板５２と、当該回路基板５２の表面に実装された複数のＬＥＤ５３とを含んでいる。
【００３３】
平板状の支持板５１は、シャーシ１２の背面に対向して配置されており、これにより支持板５１の背面は、上述したカバーレンズ１４に対向している（図４参照）。回路基板５２は、細長い略直方形のプリント配線基板からなり、支持板５１の背面側に固定されている。複数の回路基板５２の各々は、その長手方向が装置本体１０の左右方向に合致するように支持板５１の縦方向に沿って順に並べて配置されている。複数のＬＥＤ５３は、可搬型照明装置１の光源となるものであり、複数の回路基板５２の各々の表面に長手方向に沿ってそれぞれ複数個ずつ配置されている。
【００３４】
以上により、ＬＥＤ５３は、支持板５１の背面上においてアレイ状に配置されることになり、ＬＥＤ５３が発光することで出射された光は、装置本体１０の背面に配置されたカバーレンズ１４を介して装置本体１０の外部に向けて照射されることになる。これにより、照明ユニット５０は、全体として面光源として機能することになり、その照明範囲が広範囲に確保されることになる。なお、ＬＥＤ５３としては、好適に白色発光ダイオードが使用される。
【００３５】
ここで、支持板５１の縦方向（すなわち、装置本体の上下方向）に沿って順に並べて配置される複数の回路基板５２のそれぞれに実装されたＬＥＤ５３の組みを、上から順に第１列、第２列、第３列、第４列と規定する。本実施の形態における可搬型照明装置１においては、個々の列に含まれるＬＥＤ５３が直列に接続されることにより、当該列に含まれる複数個のＬＥＤ５３は一体的に動作し、またそれぞれの列は、個別にその動作が制御可能にされている。
【００３６】
図１ないし図４に示すように、回動部材２０は、一対の回動連結部２１によって装置本体１０に回動自在に取付けられている。より詳細には、一対の回動連結部２１は、それぞれが装置本体１０の左右の側面を構成するフレーム１１の略中央部に位置しており、この部分において回動部材２０の端部とフレーム１１に連結支持している。これにより、回動部材２０の回動軸は、装置本体１０の前面と平行に配置されることになり、回動部材２０は、図３に示すように矢印Ａ１およびＡ２方向に向けて装置本体１０回りに回動することになる。
【００３７】
ここで、回動部材２０は、装置本体１０の周囲を周回可能となるように（すなわち何ら制限されずに自由に回転するように）フレーム１１に連結されいてもよいし、その回動範囲が一部制限されるように（すなわち３６０度よりも小さい回動角に制限されるように）フレーム１１に連結されていてもよい。なお、本実施の形態における可搬型照明装置１においては、当該回動範囲が何ら制限されていない場合のものである。
【００３８】
また、回動部材２０は、その回動範囲内の所定位置または任意の位置において、装置本体１０のフレーム１１によって保持されるように（すなわち回動部材２０がロックされるように）構成されていることが好ましい。なお、本実施の形態における可搬型照明装置１にあっては、回動部材２０が回動範囲内の所定位置において（すなわち周回軌道上の所定位置において）段階的に装置本体１０のフレーム１１によって保持されるように構成されている。
【００３９】
回動部材２０としては、耐候性および剛性に優れた比較的軽量の部材にて構成されることが好ましく、たとえばアルミニウム合金やステンレス合金等の金属製の部材や、ＡＢＳ等の樹脂製の部材にて構成される。なお、回動部材２０の装置本体１０のフレーム１１に対する具体的な組付構造については、後述することとする。
【００４０】
図１ないし図４に示すように、装置本体１０の右側面には、照明ユニット５０のオン／オフ動作を切り替えることを可能にする操作部１５Ａと、当該可搬型照明装置１の動作状態等を表示する表示部１６が設けられている。操作部１５Ａは、たとえば押しボタン等によって構成され、表示部１６は、たとえばＬＥＤ等によって構成される。表示部１６は、可搬型照明装置１が充電状態にあるか否かを表示するための充電状態表示部１６ａと、蓄電池４０の残量の状態を表示するための残量表示部１６ｂとを含んでいる。ここで、表示部１６は、装置本体１０の正面および背面を除く部分の外表面である右側面に配置されているため、ユーザは、太陽光の反射の影響や照明の影響を受けずに良好に表示部１６を視認することができる。
【００４１】
また、装置本体１０の上面には、照明ユニット５０の出力（すなわち照度）を調節するためのボリューム摘み１５Ｂと、蓄電池４０に蓄電された電力を外部に出力することを可能にする外部出力端子１７とが設けられている。ここで、外部出力端子１７は、たとえば携帯電話の充電用のソケット（ＵＳＢ端子等）であってもよいし、電力を外部に供給する通常のコンセントであってもよい。
【００４２】
ボリューム摘み１５Ｂが設けられた部分の装置本体１０のフレーム１１には、当該ボリューム摘み１５Ｂを囲むように装置本体１０の外方に向けて突出する筒状突出部１１ａが設けられている。また、外部出力端子１７が設けられた部分の装置本体１０のフレーム１１には、当該外部出力端子を囲むように装置本体１０の外方に向けて突出する筒状突出部１１ｂが設けられている。これら筒状突出部１１ａ，１１ｂには、図示しない防水キャップが着脱自在に取付けられることで、当該部分における防水性が確保される。なお、当該部分の具体的な構造については、後述することとする。
【００４３】
また、装置本体１０の内部の空間には、反射シートが配置されていてもよい。当該反射シートは、カバーレンズ１４の前方であってかつシャーシ１２の後方に配置されることが好ましく、照明ユニット５０の背面側を除く部分に配置され、照明ユニット５０が設けられた部分を除く装置本体１０の内部の構成がカバーレンズ１４を介して視認できないように目隠しするとともに、カバーレンズ１４で反射された光を再度反射させることでカバーレンズ１４を介して装置本体１０の外部に向けて照射させるためのものである。
【００４４】
図６は、本実施の形態における可搬型照明装置の回動部材の装置本体への組付構造を示す模式分解図である。また、図７（Ａ）は、図６に示す装置本体側取付具の左側面図であり、図７（Ｂ）は、図６に示す回動部材側取付具の右側面図である。次に、これら図６、図７（Ａ）および図７（Ｂ）を参照して、回動部材の装置本体への具体的な組付構造について説明する。なお、本実施の形態における可搬型照明装置においては、上述した一対の回動連結部のいずれにおいても以下に示す組付構造が採用されているため、その説明は一方のみについて行なう。
【００４５】
図６に示すように、回動連結部２１は、回動部材２０に設けられたシャフト部２２と、フレーム１１に組み込まれる装置本体側取付具２３と、回動部材２０に組み込まれる回動部材側取付具２４、コイルバネ２５およびボルト２６とによって主として構成される。
【００４６】
シャフト部２２は、回動部材２０の端部寄りの内周面から装置本体１０に向けて突出して設けられており、その先端に雄ネジ部２２ａが設けられている。シャフト部２２は、回動部材２０の回動軸となる部位である。シャフト部２２の雄ネジ部２２ａが設けられた部分を除く部分の断面形状（すなわちシャフト部２２の突出方向と直交する面に沿った形状）は、後述する回動部材側取付具２４の回り止めが可能な形状（すなわち、回動部材取付具２４がシャフト部２２と共回りする形状）であればどのような形状であってもよく、たとえば略矩形状とされる。
【００４７】
図６および図７（Ａ）に示すように、装置本体側取付具２３は、平面視略矩形状の略板状の部材からなり、たとえば金属ブロックをプレス成形することで形成されたプレス成形品からなる。装置本体側取付具２３は、板状のベース部２３ａと、フレーム１１側に向けて突出して設けられた突出部２３ｂとを有しており、突出部２３ｂのベース部２３ａ側の根元に設けられたくびれ部がフレーム１１に設けられた支持孔１１ｃに嵌め込まれることでフレーム１１に組付けられている。なお、装置本体側取付具２３のベース部２３ａは、フレーム１１に設けられた位置決め用リブ１１ｄによってその上面および下面が固定されており、これにより装置本体側取付具２３のフレーム１１に対する回転が規制されている。
【００４８】
装置本体側取付具２３の略中央部には、厚み方向に沿ってベース部２３ａおよび突出部２３ｂを貫通する挿通孔２３ｃが設けられている。当該挿通孔２３ｃには、上述した回動部材２０のシャフト部２２が挿通される。ここで、挿通孔２３ｃの大きさおよび開口形状としては、当該挿通孔２３ｃ内におけるシャフト部２２の回転を許容する大きさおよび開口形状とされる。
【００４９】
また、装置本体側取付具２３の突出部２３ｂが設けられていない側の主面（すなわち回動部材側取付具２４に面する側の主面）には、挿通孔２３ｃの中心位置を中心Ｏ２とする第２仮想円Ｃ２の円周上の位置に、当該第２仮想円Ｃ２の周方向に沿って、第２係合部としての複数の突起部２３ｄが設けられている。当該複数の突起部２３ｄは、いずれも半球状の形状を有しており、上記第２仮想円Ｃ２の円周上の位置において周方向に沿って等間隔に（図示する装置本体側取付具２３にあっては３０°毎に合計１２個）設けられている。
【００５０】
図６および図７（Ｂ）に示すように、回動部材側取付具２４は、平面視略円形状の略板状の部材からなり、たとえば金属板をプレス成形することで形成されたプレス成形品からなる。回動部材側取付具２４は、ラッチ部に相当する部品であり、その略中央部に厚み方向に沿って貫通する嵌合孔２４ｃが設けられている。当該嵌合孔２４ｃの開口形状は、シャフト部２２の断面形状とたとえば相似形とされ、その大きさは、シャフト部２２の大きさよりも僅かに大きくされる。これにより、当該嵌合孔２４ｃにシャフト部２２が挿通されることで、回動部材側取付具２４がシャフト部２２の延びる方向に沿って移動可能にシャフト部２２に取付けられるとともに、シャフト部２２の回転に伴って回転する（すなわちシャフト部２２と供回りする）ようになる。
【００５１】
回動部材側取付具２４の装置本体側取付具２３に面する側の主面には、シャフト部２２に嵌合する嵌合孔２４ｃの中心位置を中心Ｏ１とする第１仮想円Ｃ１の円周上の位置に、当該第１仮想円Ｃ１の周方向に沿って、第１係合部としての複数の孔部２４ｄが設けられている。当該複数の孔部２４ｄは、いずれもシャフト部２２の延びる方向に沿って（すなわち回動部材側取付具２４の厚み方向に沿って）貫通する形状を有しており、上記第１仮想円Ｃ１の円周上の位置において周方向に沿って等間隔に上記第２係合部としての複数の突起部２３ｄと同数（図示する回動部材側取付具２４にあっては３０°毎に合計１２個）設けられている。
【００５２】
ここで、第１係合部としての複数の孔部２４ｄが配置される上記仮想円Ｃ１の直径と、第２係合部としての複数の突起部２３ｄが配置される上記仮想円Ｃ２の直径とは、同一の直径とされる。また、第１係合部としての複数の孔部２４ｄのそれぞれは、第２係合部としての複数の突起部２３ｄのそれぞれを受け入れて係合可能な大きさおよび形状とされている。これにより、第１係合部としての複数の孔部２４ｄと第２係合部としての複数の突起部２３ｄは、回転部材側取付具２４と装置本体側取付具２３とが相対的に回転した場合に、回転方向にずれながら相互に嵌合するようになる。
【００５３】
図６に示すように、コイルバネ２５は、回動部材側取付具２４の装置本体側取付具２３と面しない側の主面にその一端が当接するように、回動部材２０のシャフト部２２に外挿されている。また、ボルト２６は、回動部材２０のシャフト部２２の先端に設けられた雄ネジ部２２ａに螺合することにより、回動部材２０に固定されている。これにより、コイルバネ２５の他端は、ボルト２６に当接することになり、回動部材側取付具２４がコイルバネ２５によって装置本体側取付具２３に弾性付勢された状態となる。
【００５４】
図８は、本実施の形態における可搬型照明装置において、回動部材が装置本体に保持された状態を示す図であり、図９は、回動部材が装置本体に保持されていない状態を示す図である。次に、これら図８および図９を参照して、本実施の形態における可搬型照明装置において、回動部材を回動させた場合の回動連結部の動作について説明する。
【００５５】
図８に示すように、上述した回動部材側取付具２４に設けられた複数の孔部２４ｄと、上述した装置本体側取付具２３に設けられた複数の突起部２３ｄとが係合した状態においては、コイルバネ２５の図中矢印Ｂ１方向に向けての弾性力に基づいて回動部材側取付具２４と装置本体側取付具２３とが嵌合し、当該嵌合力によって回動部材側取付具２４が装置本体側取付具２３によってロックされた状態となる。これにより、回動部材側取付具２４に固定された回動部材２０は、その回動が制限されて当該位置において装置本体１０によって保持された保持状態を採ることになる。
【００５６】
ここで、上述した図８に示す状態から、回動部材２０を装置本体１０に対して相対的に回動させた場合には、当該回動部材を回動させることによって生じる外力に基づき、複数の突起部２３ｄのそれぞれが複数の孔部２４ｄのそれぞれから外れ、複数の突起部２３ｄが回動部材側取付具２４の表面上に乗り上げた図９に示す如くの状態となる。
【００５７】
上記複数の突起部２３ｄが回動部材側取付具２４の表面上に乗り上げた状態においては、図９に示すように、回動部材側取付具２４に設けられた複数の孔部２４ｄと、装置本体側取付具２３の複数の突起部２３ｄとが係合していない状態となり、コイルバネ２５の弾性力に抗して図中矢印Ｂ２方向に向けて回動部材側取付具２４が移動する。そのため、回動部材側取付具２４と装置本体側取付具２３とが非嵌合となり、回動部材側取付具２４が装置本体側取付具２３によってロックされた状態が解除される。これにより、回動部材側取付具２４に固定された回動部材２０は、その回動が制限されることが解除されて装置本体１０によって保持されていない非保持状態を採ることになる。
【００５８】
なお、上述した図９に示す状態から、さらに回動部材２０を装置本体１０に対して相対的に回動させた場合には、回動部材側取付具２４に設けられた複数の孔部２４ｄと装置本体側取付具２３の複数の突起部２３ｄとが、それぞれ図８に示した状態とはずれた状態で再び嵌合した状態となり、回動部材２０が装置本体１０に対して異なる角度で保持された状態となる。
【００５９】
以上において説明した如くの、回動部材２０の装置本体１０への組付構造を採用することにより、非常に簡素な組付構造にて、かつ非常に少ない部品点数にて、回動部材２０が装置本体１０の周囲を周回可能に、かつ回動部材２０が周回軌道上において装置本体１０によって段階的に保持されるように、回動部材２０を装置本体１０に対して取付けることが可能になる。したがって、上述した回動部材２０を所望の位置において装置本体１０に保持させることが可能となり、その結果、回動部材２０を後述する如く、充電時において装置本体１０を支持するためのスタンドとして使用でき、また照明時において装置本体１０を吊り下げるためのアームとして使用でき、さらには搬送時において手で持つための把手として使用できることになる。
【００６０】
そのため、本実施の形態の如くの可搬型照明装置１とすることにより、様々な用途に使用が可能な取扱い性に優れた可搬型照明装置とすることができる。したがって、その用途が従来の可搬型照明装置に比べて飛躍的に広がることになり、各種レジャー用や被災時用として使用されるのみならず、建設現場や工事現場での使用、家庭での日常の使用等にまでその利用範囲が見込めることになる。
【００６１】
図１０は、本実施の形態における可搬型照明装置のボリューム摘みが設けられた部分における防水構造を示す模式分解図であり、図１１は、当該ボリューム摘みが設けられた部分に防水キャップが取付けられた状態を示す図である。次に、これら図１０および図１１を参照して、本実施の形態における可搬型照明装置のボリューム摘みが設けられた部分における防水構造について説明する。
【００６２】
図１０に示すように、本実施の形態における可搬型照明装置１にあっては、上述したように、ボリューム摘み１５Ｂが設けられた部分におけるフレーム１１に、当該ボリューム摘み１５Ｂを囲むように装置本体１０の外方に向けて突出する筒状突出部１１ａが設けられている。ここで、ボリューム摘み１５Ｂは、ボリュームスイッチ６２に接続されており、当該ボリュームスイッチ６２は、たとえば装置本体１０の内部に配設された回路基板６１等に固定されている。
【００６３】
その場合、ボリューム摘み１５Ｂと上記筒状突出部１１ａとの間には、ボリューム摘み６２を回転操作するためのギャップが必要であり、当該ギャップを介して水分等が装置本体１０の内部に進入してしまう問題が生じる。特に、本実施の形態における可搬型照明装置１は、屋外にて使用することも企図されているため、当該部分において何らかの防水構造を採用することが必要である。
【００６４】
そこで、本実施の形態における可搬型照明装置１にあっては、当該筒状突出部１１ａに着脱自在に取付け可能な防水キャップ７１を設け、当該防水キャップ７１をボリューム摘み１５Ｂを覆うように筒状突出部１１ａに取付けることにより、当該部分における防水構造を実現している。防水キャップ７１としては、たとえば耐候性に優れた樹脂製またはゴム製等の有底筒状の部材が好適に使用される。
【００６５】
ここで、防水キャップ７１の内周面に周方向に沿って延びる環状凸部７１ａ１を設けるとともに、筒状突出部１１ａの外周面に周方向に沿って延びる環状凹部１１ａ１を設けることとすれば、防水キャップ７１を筒状突出部１１ａに取付けた状態において、これら環状凸部７１ａ１と環状凹部１１ａ１とが嵌合することで防水キャップ７１と筒状突出部１１ａとの密着性が高まることになり、優れた防水性が発揮されることになる。また、当該環状凸部７１ａ１と環状凹部１１ａ１とを用いた嵌合構造を採用することにより、意図しない防水キャップ７１の脱落を防止することもできる。
【００６６】
図１２は、本実施の形態における可搬型照明装置の外部出力端子が設けられた部分における防水構造を示す模式分解図であり、図１３は、当該外部出力端子が設けられた部分に防水キャップが取付けられた状態を示す図である。次に、これら図１２および図１３を参照して、本実施の形態における可搬型照明装置の外部出力端子が設けられた部分における防水構造について説明する。
【００６７】
図１２に示すように、本実施の形態における可搬型照明装置１にあっては、上述したように、外部出力端子１７が設けられた部分におけるフレーム１１に、当該外部出力端子１７を囲むように装置本体１０の外方に向けて突出する筒状突出部１１ｂが設けられている。ここで、外部出力端子１７は、携帯電話等の外部機器に含まれる接続端子を受け入れる端子受部１７ａと、当該端子受部１７ａを支持する基部６４とを含んでおり、当該基部６４が、たとえば装置本体１０の内部に配設された回路基板６３等に固定されている。
【００６８】
その場合、外部出力端子１７は、上記外部機器等に含まれる接続端子を接続可能にするために、装置本体１０の表面において露出していることが必要であるが、当該露出した状態のまま可搬型照明装置１を使用した場合には、水分等の影響により当該外部出力端子がショートしてしまうといった不具合や、当該外部出力端子に腐食が生じてしまうといった問題があり、また図示するように、基部６４と上記筒状突出部１１ｂとの間にギャップがある場合には、当該ギャップを介して水分等が装置本体１０の内部に進入してしまう問題が生じる。特に、本実施の形態における可搬型照明装置１は、屋外にて使用することも企図されているため、当該部分において何らかの防水構造を採用することが必要である。
【００６９】
そこで、本実施の形態における可搬型照明装置１にあっては、当該筒状突出部１１ｂに着脱自在に取付け可能な防水キャップ７２を設け、当該防水キャップ７２を外部出力端子１７を覆うように筒状突出部１１ｂに取付けることにより、当該部分における防水構造を実現している。防水キャップ７２としては、たとえば耐候性に優れた樹脂製またはゴム製等の有底筒状の部材が好適に使用される。
【００７０】
ここで、防水キャップ７２の内周面に周方向に沿って延びる環状凸部７２ａ１を設けるとともに、筒状突出部１１ｂの外周面に周方向に沿って延びる環状凹部１１ｂ１を設けることとすれば、防水キャップ７２を筒状突出部１１ｂに取付けた状態において、これら環状凸部７２ａ１と環状凹部１１ｂ１とが嵌合することで防水キャップ７２と筒状突出部１１ｂとの密着性が高まることになり、優れた防水性が発揮されることになる。また、当該環状凸部７２ａ１と環状凹部１１ｂ１とを用いた嵌合構造を採用することにより、意図しない防水キャップ７２の脱落を防止することもできる。
【００７１】
図１４は、図１ないし図４に示す可搬型照明装置の機能ブロックを示す図である。次に、この図１４を参照して、本実施の形態における可搬型照明装置の機能ブロックの構成について説明する。
【００７２】
図１４に示すように、本実施の形態における可搬型照明装置１は、上述した太陽電池パネル１３、蓄電池４０、ＬＥＤ５３、操作部１５Ａ、ボリューム摘み１５Ｂ、表示部１６、外部出力端子１７および制御部３１に加え、充電回路３２、放電回路３３、蓄電池残量検出部３４および回動部材位置検出部３５を備えている。
【００７３】
充電回路３２は、太陽電池パネル１３で発電された電力を制御部３１の指令に基づいて蓄電池４０に充電するための回路である。より詳細には、充電回路３２は、太陽電池パネル１３の発電電圧が一定値以上に達した場合に当該発電された電力を蓄電池４０に送ることで蓄電池４０の充電を行い、太陽電池パネル１３の発電電圧が上記一定値未満となった場合に蓄電池４０の充電を停止する。また、充電回路３２は、蓄電池４０が満充電された場合に蓄電池４０の過充電を防止すべく蓄電池４０の充電を停止し、蓄電池４０の電圧が一定値以下になった場合に蓄電池４０の充電の停止を解除して充電を再開する。また、充電回路３２は、太陽電池パネル１３から蓄電池４０に送られる電力が過電流状態となることを防止する過電流保護回路や、蓄電池４０から太陽電池パネル１３への電流の逆流を防止する逆流防止回路等を含んでいてもよい。
【００７４】
放電回路３３は、蓄電池４０に蓄電された電力を制御部３１の指令に基づいて照明ユニット５０および外部出力端子１７に供給するための回路である。より詳細には、放電回路３３は、蓄電池４０の電圧が一定値以上である場合に制御部３１の指令に基づいて蓄電池４０に蓄電された電力を照明ユニット５０または／および外部出力端子１７に供給し、蓄電池４０の電圧が一定値未満である場合に過放電を防止すべく照明ユニット５０または／および外部出力端子１７に対する蓄電池４０からの電力の供給を停止する。また、放電回路３３は、外部出力端子１７から蓄電池４０への電流の逆流を防止する逆流防止回路等を含んでいてもよい。
【００７５】
蓄電池残量検出部３４は、蓄電池４０の電圧を検知することで蓄電池４０に蓄電された電力の残量がどの程度であるかを検出し、当該残量の情報を制御部３１に出力する部位である。回動部材位置検出部３５は、回動部材２０の位置がどの位置にあるかを検出し、当該位置情報を制御部３１に出力する部位である。なお、回動部材位置検出部３５としては、回動部材２０の位置を特定可能に配置したタクトスイッチや光電センサ、ロータリエンコーダ、加速度センサ等が利用可能である。
【００７６】
操作部１５Ａは、上述したように照明ユニット５０のオン／オフ動作を切り替えるための部位であり、具体的には、ユーザが操作部１５Ａを操作した場合にこれを制御部３１に出力する。ボリューム摘み１５Ｂは、上述したように照明ユニット５０の出力を調節するための部位であり、具体的には、ユーザがボリューム摘み１５Ｂを操作した場合にこれを制御部３１に出力する。表示部１６は、上述したように可搬型照明装置１が充電状態にあるか否かや蓄電池４０の残量の状態を表示するための部位であり、具体的には、可搬型照明装置１が充電状態にあるか否かを充電状態表示部１６ａの点灯／非点灯で表示し、蓄電池４０の残量をその残量に応じた残量表示部１６ｂの点灯数にて表示する。
【００７７】
制御部３１は、上述したように可搬型照明装置１の全体を制御する部位であり、太陽電池パネル１３からの発電電圧の情報や蓄電池残量検出部３４からの残量の情報、回動部材位置検出部３５からの位置情報、操作部１５Ａおよびボリューム摘み１５Ｂからのユーザの操作の有無の情報等の入力を受け、これに基づいて充電回路３２や放電回路３３、照明ユニット５０、表示部１６の動作の制御を行なう。ここで、本実施の形態における可搬型照明装置１においては、制御部３１が、回動部材２０の位置情報に基づいて太陽電池パネル１３および照明ユニット５０に代表される機能ブロックの動作を制御する。
【００７８】
図１５は、本実施の形態における可搬型照明装置が回動部材の位置に応じてどのように動作するかを説明するための模式図である。図１６は、本実施の形態における可搬型照明装置の充電状態を示す図である。図１７（Ａ）は、本実施の形態における可搬型照明装置を天井に吊り下げて使用する場合の使用状態を示す図であり、図１７（Ｂ）は、その場合の照明ユニットの動作状態を示す図である。図１８（Ａ）は、本実施の形態における可搬型照明装置を壁面に掛けて使用する場合の使用状態を示す図であり、図１８（Ｂ）は、その場合の照明ユニットの動作状態を示す図である。図１９（Ａ）は、本発明の実施の形態における可搬型照明装置を壁面に掛けて使用する場合の他の使用状態を示す図であり、図１９（Ｂ）は、その場合の照明ユニットの動作状態を示す図である。図２０（Ａ）は、本発明の実施の形態における可搬型照明装置を壁面に掛けて使用する場合のさらに他の使用状態を示す図であり、図２０（Ｂ）は、その場合の照明ユニットの動作状態を示す図である。次に、図１５を参照して、回動部材の位置と各機能ブロックの動作との関係について説明するとともに、図１６ないし図２０（Ｂ）を参照して、本実施の形態における可搬型照明装置の充電状態および使用状態について説明する。
【００７９】
図１５に示すように、本実施の形態における可搬型照明装置１においては、回動部材２０が装置本体１０の上面に対向した位置にある場合を基準位置とし、回動部材２０の回動方向に沿って図中矢印Ａ１方向を正方向、図中矢印Ａ２方向を負方向とした場合に、回動部材２０が、上記基準位置を含む８つの位置を少なくとも採り得るように構成されている。具体的には、上述した図６、図８および図９に示す如くの回動部材２０の装置本体１０に対する組付構造を採用することにより、回動部材２０は、回動可能範囲内において３０°毎の合計１２の位置において段階的に装置本体１０によって保持可能とされており、当該１２の位置に、上記８つの位置が含まれている。
【００８０】
まず、図１５に示すように、回動部材２０の角度が０°である基準位置は、可搬型照明装置１を搬送する場合に回動部材２０が採るべき搬送用固定位置であり、当該搬送用固定位置に回動部材２０が位置する場合には、回動部材２０が手で持つための把手となる。この搬送用固定位置に回動部材２０が位置した状態においては、制御部３１は、放電回路３３および照明ユニット５０の動作を制御することでＬＥＤ５３を消灯させ、照明をオフの状態にする。なお、この状態においては、制御部３１が充電回路３２の動作を制御することで太陽電池パネル１３にて発電された電力を蓄電池４０に充電するようにしてもよいし、当該充電を行なわないようにしてもよい。ただし、充電を行なうようにした場合にも、太陽電池パネル１３の発電電圧が一定値以下である場合や、蓄電池４０が満充電された状態にある場合には、充電動作は行なわない。
【００８１】
次に、図１５に示すように、回動部材２０の角度が−９０°である位置は、太陽電池パネル１３に太陽光を受光させて蓄電池４０の充電動作を行なう充電用固定位置であり、当該充電用固定位置に回動部材２０が位置する場合には、図１６に示すように、回動部材２０が装置本体１０を支持するためのスタンドとなる。すなわち、当該状態においては、回動部材２０が装置本体１０の背面に対向した位置にあるため、回動部材２０が床面１００（地表面であってもよい）に接触するように可搬型照明装置１を載置することにより、太陽電池パネル１３は、傾斜配置されて太陽光の受光に適した方向を向くことになる。
【００８２】
この充電用固定位置に回動部材２０が位置した状態においては、制御部３１は、放電回路３３および照明ユニット５０の動作を制御することでＬＥＤ５３を消灯させ、照明をオフの状態にするとともに、充電回路３２の動作を制御することで太陽電池パネル１３にて発電された電力を蓄電池４０に充電する。また、その際、制御部３１は、表示部１６の充電状態表示部１６ａを点灯させることで、充電動作中であることをユーザに報知する。なお、回動部材２０が上記充電用固定位置にある場合にも、太陽電池パネル１３の発電電圧が一定値以下である場合や、蓄電池４０が満充電された状態にある場合には、充電動作は行なわない。
【００８３】
次に、図１５に示すように、回動部材２０の角度が＋９０°である位置は、可搬型照明装置１を天井から吊り下げて照明として使用する場合の天上吊り下げ用固定位置であり、当該天井吊り下げ用固定位置に回動部材２０が位置する場合には、図１７（Ａ）に示すように、回動部材２０が天井２００に設けられた係止具２０１に引っ掛けられるアームとなる。すなわち、当該状態においては、回動部材２０が装置本体１０の前面に対向した位置にあるため、回動部材２０を係止具２０１に引っ掛けることにより、装置本体１０の背面が鉛直下方を向くことになる。
【００８４】
この天上吊り下げ用固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が天上吊り下げ用固定位置にある場合には、装置本体１０の背面が鉛直下方を向くことになるため、より広範囲を照明することが好ましく、図１７（Ｂ）に示すように、第１列ないし第４列のすべてのＬＥＤ５３を点灯させることで１００％の出力での照明を行なう。なお、この状態においては、制御部３１が充電回路３２の動作を制御することで充電を行なわないようにする。
【００８５】
次に、図１５に示すように、回動部材２０の角度が＋３０°である位置は、可搬型照明装置１を壁面に掛けて照明として使用する場合の壁掛け用第１固定位置であり、当該壁掛け用第１固定位置に回動部材２０が位置する場合には、図１８（Ａ）に示すように、回動部材２０が壁面３００に設けられた係止具３０１に引っ掛けられるアームとなる。すなわち、当該状態においては、回動部材２０が装置本体１０の前面の上端部寄りの上部に対向した位置にあるため、回動部材２０を係止具３０１に引っ掛けることにより、装置本体１０の背面が水平方向より僅かに下方を向くことになる。
【００８６】
この壁掛け用第１固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が壁掛け用第１固定位置にある場合には、装置本体１０の背面が水平方向より僅かに下方を向くことになるため、斜め上方に向けての照明は不要となり、図１８（Ｂ）に示すように、第１列のＬＥＤ５３は消灯させて第２列ないし第４列のＬＥＤ５３のみを点灯させることで７５％の出力での照明を行なう。なお、この状態においては、制御部３１が充電回路３２の動作を制御することで充電を行なわないようにする。
【００８７】
次に、図１５に示すように、回動部材２０の角度が＋６０°である位置は、可搬型照明装置１を壁面に掛けて照明として使用する場合の壁掛け用第２固定位置であり、当該壁掛け用第２固定位置に回動部材２０が位置する場合には、図１９（Ａ）に示すように、回動部材２０が壁面３００に設けられた係止具３０１に引っ掛けられるアームとなる。すなわち、当該状態においては、回動部材２０が装置本体１０の前面の中央部寄りの上部に対向した位置にあるため、回動部材２０を係止具３０１に引っ掛けることにより、装置本体１０の背面が水平方向より大きく下方を向くことになる。
【００８８】
この壁掛け用第２固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が壁掛け用第２固定位置にある場合には、装置本体１０の背面が水平方向より大きく下方を向くことになるため、斜め上方に向けての照明は回動部材２０が上記壁掛け用第１固定位置にある場合よりもさらに不要となり、図１９（Ｂ）に示すように、第１列および第２列のＬＥＤ５３は消灯させて第３列および第４列のＬＥＤ５３のみを点灯させることで５０％の出力での照明を行なう。なお、この状態においては、制御部３１が充電回路３２の動作を制御することで充電を行なわないようにする。
【００８９】
次に、図１５に示すように、回動部材２０の角度が＋１８０°である位置は、可搬型照明装置１を壁面に掛けて照明として使用する場合の壁掛け用第３固定位置であり、当該壁掛け用第３固定位置に回動部材２０が位置する場合には、図２０（Ａ）に示すように、回動部材２０が壁面３００に設けられた係止具３０１に引っ掛けられるアームとなる。すなわち、当該状態においては、回動部材２０が装置本体１０の下面に対向した位置にあるため、回動部材２０を係止具３０１に引っ掛けることにより、装置本体１０の背面が水平方向を向くことになる。
【００９０】
この壁掛け用第３固定位置に回動部材２０が位置した状態においては、制御部３１は、放電回路３３および照明ユニット５０の動作を制御することでＬＥＤ５３を点灯させ、照明をオンの状態にする。その際、上述したように回動部材２０が壁掛け用第３固定位置にある場合には、装置本体１０の背面が水平方向を向くことになるため、より広範囲を照明することが好ましく、図２０（Ｂ）に示すように、第１列ないし第４列のすべてのＬＥＤ５３を点灯させることで１００％の出力での照明を行なう。なお、この状態においては、制御部３１が充電回路３２の動作を制御することで充電を行なわないようにする。
【００９１】
次に、図１５に示すように、回動部材２０の角度が＋１５０°である位置は、可搬型照明装置１を壁面に掛けて照明として使用する場合の壁掛け用第４固定位置であり、当該壁掛け用第４固定位置に回動部材２０が位置する場合には、回動部材２０が壁面に設けられた係止具に引っ掛けられるアームとなる。なお、回動部材２０がこの壁掛け用第４固定位置にある場合は、回動部材２０が上述した壁掛け用第１固定位置にある場合と天地が逆になるのみであるため、その詳細な説明は省略するが、この場合、第１列から第３列のＬＥＤ５３が点灯され、第４列のＬＥＤ５３は消灯されることになる。
【００９２】
次に、図１５に示すように、回動部材２０の角度が＋１２０°である位置は、可搬型照明装置１を壁面に掛けて照明として使用する場合の壁掛け用第５固定位置であり、当該壁掛け用第５固定位置に回動部材２０が位置する場合には、回動部材２０が壁面に設けられた係止具に引っ掛けられるアームとなる。なお、回動部材２０がこの壁掛け用第５固定位置にある場合は、回動部材２０が上述した壁掛け用第２固定位置にある場合と天地が逆になるのみであるため、その詳細な説明は省略するが、この場合、第１列および第２列のＬＥＤ５３が点灯され、第３列および第４列のＬＥＤ５３は消灯されることになる。
【００９３】
なお、上述したように、本実施の形態における可搬型照明装置１においては、照明ユニット５０のオン／オフ動作を切り替えることを可能にする操作部１５Ａ、および照明ユニット５０の出力を調節することを可能にするボリューム摘み１５Ｂが設けられている。当該操作部１５Ａおよびボリューム摘み１５Ｂは、上述した回動部材２０の位置によらず照明ユニット５０のオン／オフ動作および出力を切り替えることができるものであり、この操作部１５Ａおよびボリューム摘み１５Ｂが操作された場合には、制御部３１は、上述した制御部３１の動作に優先してユーザの指令に従った制御を行なう。
【００９４】
以上において説明した本実施の形態における可搬型照明装置１とすることにより、回動部材２０の位置に応じて可搬型照明装置１に含まれる照明ユニット５０等の動作が制御されることになる。そのため、回動部材２０を操作することでその使用態様に応じたモードの切り替えが自動的になされるようになるため、取扱い性に優れた可搬型照明装置とすることができる。したがって、その用途が従来の可搬型照明装置に比べて飛躍的に広がることになり、各種レジャー用や被災時用として使用されるのみならず、建設現場や工事現場での使用、家庭での日常の使用等にまでその利用範囲が見込めることになる。
【００９５】
また、上述した本実施の形態における可搬型照明装置１とすることにより、照明出力が自動的に調節されて省エネルギー化が図られることにもなる。特に、本実施の形態における可搬型照明装置１においては、太陽電池パネル１３にて発電された電力を照明ユニット５０の電源として使用しているため、上記構成を採用することにより、電力をより効率よく使用することで、使用中に電力不足が生じて使用ができなくなるといった事態や充電を頻繁に行なう必要が生じるといった事態の発生を未然に防止することができる。
【００９６】
なお、上述した本実施の形態においては、複数のＬＥＤ群の点灯／非点灯を個別に制御することで照度を調節するように構成した場合を例示したが、他の方法を用いて照度の調節を行なうようにしてもよい。たとえば、ＬＥＤがＰＷＭ（Pulse Width Modulation）制御によって発光するように構成しておき、必要に応じてデューティ比を調節することで照度を調節するようにしてもよい。
【００９７】
また、上述した本実施の形態においては、回動部材の位置に応じてＬＥＤの照度が調節されるように構成した場合を例示したが、必ずしもこのように構成する必要はなく、単に回動部材の位置に応じてＬＥＤがすべて点灯／消灯するように構成してもよい。
【００９８】
また、上述した本実施の形態においては、ＬＥＤの点灯時において充電動作が行なわれないように構成した場合を例示したが、必ずしもこのように構成する必要はなく、ＬＥＤの点灯時においても充電動作が行なわれるように構成してもよい。
【００９９】
また、上述した本実施の形態においては、回動部材の位置が段階的に固定されるように構成した場合を例示したが、回動部材の位置が任意の位置で固定されるようにしてもよい。その場合には、回動部材の回動可能範囲を所定の角度ごとに区分し、区分された範囲内に回動部材が位置する場合に、照明ユニット等がその範囲に応じた動作を行なうように構成してもよい。
【０１００】
また、上述した本実施の形態において示した回動部材の位置と照明ユニット等の動作との関係はあくまでも本発明を適用した場合の一例であり、装置本体の形状、回動部材の形状、装置本体に対する回動部材の取付け位置、照明ユニットの構成等に応じて適宜変更が可能である。
【０１０１】
さらには、上述した本実施の形態においては、回動部材の位置に応じてその動作が制御されるように構成した場合を例示して説明を行なったが、必ずしもそのように構成される必要はない。すなわち、可搬型照明装置の装置本体に上述した如くスタンド、アーム、把手等として機能する回動部材を設けることにより、十分に使い勝手のよい可搬型照明装置とすることができる。
【０１０２】
また、上述した本実施の形態においては、ラッチ部としての回動部材側取付具に設けられる第１係合部を回動部材のシャフト部が延びる方向に沿って貫通する孔部にて構成した場合を例示して説明を行なったが、当該第１係合部を回動部材のシャフト部が延びる方向に沿って窪む凹部にて構成することとしてもよい。
【０１０３】
また、上述した本実施の形態においては、装置本体側取付具に設けられる第２係合部を半球状の突起部にて構成した場合を例示して説明を行なったが、当該突起部の形状はこれに限られるものではなく、適宜その変更が可能である。
【０１０４】
また、上述した本実施の形態においては、回動部材側取付具に設けられる第１係合部を回動部材のシャフト部が延びる方向に沿って貫通する孔部にて構成し、装置本体側取付具に設けられる第２係合部を突起部にて構成した場合を例示して説明を行なったが、回動部材側取付具に設けられる第１係合部を突起部にて構成し、装置本体側取付具に設けられる第２係合部を凹部または孔部にて構成することも可能である。
【０１０５】
また、上述した本実施の形態においては、回動部材側取付具に設けられる第１係合部および装置本体側取付具に設けられる第２係合部をいずれも複数個ずつ設けた場合を例示して説明を行ったが、これらの数は単数であってもよく、その数は、回動部材を装置本体に対して保持させる位置の数や角度等に基づいて適宜変更が可能である。
【０１０６】
また、上述した本実施の形態においては、装置本体側取付具を装置本体のフレームに固定する構造とした場合を例示したが、当該装置本体側取付具を設けずに、装置本体のフレームに直接第２係合部を設ける構成とすることも当然に可能である。なお、上述した本実施の形態の如く、回動部材側取付具および装置本体側取付具をいずれも金属製の部材にて構成した場合には、長期間使用しても破損し難い耐久性に優れたものとすることができる。ここで、回動部材側取付具（すなわちラッチ部）および装置本体側取付具（すなわち上記ラッチ部と係合する部分の装置本体）を異なる硬さの金属製の部材にて構成することとしてもよい。このように構成することにより、長期間の使用に伴って回動動作に起因して磨耗する部品を回動部材側取付具および装置本体側取付具のいずれかに限定することが可能となり、品質を一定に保つことが可能になるという効果を得ることができる。
【０１０７】
なお、上述した本実施の形態においては、装置本体を直方体形状の箱状の外形を有するように構成した場合を例示したが、当然に他の形状とすることも可能である。
【０１０８】
このように、今回開示した上記一実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１０９】
１  可搬型照明装置、１０  装置本体、１１  フレーム、１１ａ，１１ｂ  筒状突出部、１１ａ１，１１ｂ１  環状凹部、１１ｃ  支持孔、１１ｄ  位置決め用リブ、１２  シャーシ、１３  太陽電池パネル、１４  カバーレンズ、１５Ａ  操作部、１５Ｂ  ボリューム摘み、１６  表示部、１６ａ  充電状態表示部、１６ｂ  残量表示部、１７  外部出力端子、１７ａ  端子受部、２０  回動部材、２１  回動連結部、２２  シャフト部、２２ａ  雄ネジ部、２３  装置本体側取付具、２３ａ  ベース部、２３ｂ  突出部、２３ｃ  挿通孔、２３ｄ  突起部（第２係合部）、２４  回動部材側取付具、２４ｃ  嵌合孔、２４ｄ  孔部（第１係合部）、２５  コイルバネ、２６  ボルト、３０  コントロールユニット、３１  制御部、３２  充電回路、３３  放電回路、３４  蓄電池残量検出部、３５  回動部材位置検出部、４０  蓄電池、５０  照明ユニット、５１  支持板、５２，６１，６３  回路基板、５３  ＬＥＤ、６２  ボリュームスイッチ、６４  基部、７１，７２  防水キャップ、７１ａ１，７２ａ１  環状凸部、１００  床面、２００  天井、２０１  係止具、３００  壁面、３０１  係止具。
【図１】
2011198613.tif 000003
【図２】
2011198613.tif 000004
【図３】
2011198613.tif 000005
【図４】
2011198613.tif 000006
【図５】
2011198613.tif 000007
【図６】
2011198613.tif 000008
【図７】
2011198613.tif 000009
【図８】
2011198613.tif 000010
【図９】
2011198613.tif 000011
【図１０】
2011198613.tif 000012
【図１１】
2011198613.tif 000013
【図１２】
2011198613.tif 000014
【図１３】
2011198613.tif 000015
【図１４】
2011198613.tif 000016
【図１５】
2011198613.tif 000017
【図１６】
2011198613.tif 000018
【図１７】
2011198613.tif 000019
【図１８】
2011198613.tif 000020
【図１９】
2011198613.tif 000021
【図２０】
2011198613.tif 000022